(57)【要約】【課題】簡単な構成でありながら、画像表示機器の外観デザインに、デザインの統一感と多様なバリエーションを付与可能にすると共に、各種作業を容易にする、カバーシステム、カバー、カバー貼付方法、及び画面位置確認方法を提供することを目的とする。【解決手段】本発明を適用したカバーシステムは、所定の待受画像２０を表示する画像表示部７を有する携帯機器６で、画像表示部７を設けた機器上面９を、画像表示部７が視認できるように被覆すると共に、待受画像２０に関連する第１関連画像２１の少なくとも一部が、画像表示部７の外周縁７ａに連続可能に配置される保護フィルム４と、待受画像２０の画像データ２０ｃ、または待受画像２０を画像表示部７内に表示させる専用プログラムを携帯機器６に入力する情報カード３、メモリーカード８とを備えたものである。【選択図】図１
2019149590.tif 000002
【特許請求の範囲】
【請求項１】
所定の基本画像を表示する画像表示部を有する画像表示機器で、前記画像表示部を設けた一側面を、該画像表示部が視認できるように被覆すると共に、前記基本画像に関連する第１関連画像の少なくとも一部が、前記画像表示部の外周縁に連続可能に配置される第１保護カバーと、
前記基本画像の画像データ、または該基本画像を画像表示部内に表示させる専用プログラムを画像表示機器に入力する基本画像情報記録媒体とを備えた
カバーシステム。
【請求項２】
前記第１関連画像の少なくとも一部は、
前記画像表示部の外周縁を介して、前記基本画像の少なくとも一部に連続する
請求項１に記載のカバーシステム。
【請求項３】
前記画像表示機器の他側面を被覆すると共に、前記基本画像と第１関連画像の少なくとも一方に関連する第２関連画像が配置される
第２保護カバーを備える
請求項１または請求項２に記載のカバーシステム。
【請求項４】
前記画像表示機器の他側面を被覆すると共に、該他側面を保持する保持枠が固定された保持カバー部と、
該保持カバー部から前記一側面を被覆するように屈曲可能に延出される画面カバー部と、
前記基本画像と第１関連画像の少なくとも一方に関連すると共に、前記保持カバー部と画面カバー部の少なくとも一方の外側面に配置される第２関連画像とを有する
第２保護カバーを備える
請求項１または請求項２に記載のカバーシステム。
【請求項５】
前記第２関連画像は、
前記基本画像と第１関連画像とが合体した合成画像を少なくとも一部に有する
請求項３または請求項４に記載のカバーシステム。
【請求項６】
前記基本画像情報記録媒体は、
前記画像データまたは専用プログラムが記録された第１記録媒体と、
前記画像データまたは専用プログラムのダウンロードに関するダウンロード情報が記録された第２記録媒体の少なくとも一方である
請求項１から請求項５のいずれか一項に記載のカバーシステム。
【請求項７】
所定の基本画像を表示する画像表示部を有する画像表示機器で、前記画像表示部を設けた一側面を、該画像表示部が視認できるように被覆すると共に、前記基本画像に関連する第１関連画像の少なくとも一部が、前記画像表示部の外周縁に連続可能に配置される第１保護カバーと、
前記基本画像の画像データ、または該基本画像を画像表示部内に表示させる専用プログラムを画像表示機器に入力する入力機能とを備えた
カバーシステム。
【請求項８】
画像表示部を有する画像表示機器で、前記画像表示部に基本画像を表示させる基本画像表示工程と、
前記画像表示部を設けた一側面に、前記基本画像に関連する第１関連画像を有する第１保護カバーを、該第１関連画像が前記基本画像に近接するように接触させる仮置き工程と、
前記基本画像に第１関連画像が連続するように、前記第１保護カバーを画像表示機器の一側面に貼り付ける貼付被覆工程とを備える
カバー貼付方法。
【請求項９】
複数の画面毎に異なる所定の基本画像を表示可能な画像表示部を有する画像表示機器で、前記画像表示部を設けた一側面を、前記基本画像に関連する第１関連画像を有する第１保護カバーで覆うカバー被覆工程と、
前記画像表示部に表示されている現画面に、所定の基本画像を表示させる基本画像表示工程と、
前記基本画像と、該基本画像に連続する第１関連画像とによって示される現画面情報を確認する現画面位置確認工程とを備える
画面位置確認方法。
【請求項１０】
所定の基本画像の画像データ、または該基本画像を表示させる専用プログラムを画像表示機器に入力することにより、前記基本画像を表示する画像表示部と、
該画像表示部を設けた一側面を画像表示部が視認できるように被覆すると共に、前記基本画像に関連する第１関連画像の少なくとも一部が、前記画像表示部の外周縁に連続可能に配置される第１保護カバーとを備える画像表示機器に対し、
該画像表示機器の他側面を被覆すると共に、前記基本画像と第１関連画像の少なくとも一方に関連する第２関連画像が配置される第２保護カバーから成る
カバー。
【請求項１１】
所定の基本画像の画像データ、または該基本画像を表示させる専用プログラムを画像表示機器に入力することにより、前記基本画像を表示する画像表示部と、
該画像表示部を設けた一側面を画像表示部が視認できるように被覆すると共に、前記基本画像に関連する第１関連画像の少なくとも一部が、前記画像表示部の外周縁に連続可能に配置される第１保護カバーとを備える画像表示機器に対し、
該画像表示機器の他側面を被覆すると共に、該他側面を保持する保持枠が固定された保持カバー部と、該保持カバー部から前記一側面を被覆するように屈曲可能に延出される画面カバー部と、前記基本画像と第１関連画像の少なくとも一方に関連すると共に、前記保持カバー部と画面カバー部の少なくとも一方の外側面に配置される第２関連画像とを有する第２保護カバーから成る
カバー。
【発明の詳細な説明】
【技術分野】
【０００１】
本発明は、カバーシステム、カバー、カバー貼付方法、及び画面位置確認方法に関する。詳しくは、簡単な構成でありながら、画像表示機器の外観デザインに、デザインの統一感と多様なバリエーションを付与可能にすると共に、各種作業を容易にする、カバーシステム、カバー、カバー貼付方法、及び画面位置確認方法に係わるものである。
【背景技術】
【０００２】
携帯型音楽プレーヤ、多機能携帯電話であるスマートフォン、板状の電子機器であるタブレットのような携帯電子機器では、多様なユーザーニーズに対応するため、後から装着して携帯電子機器を保護する保護カバーには、様々な外観デザインを施したものが普及している。
【０００３】
一方、近年の携帯電子機器には、鑑賞や機器操作などのための画像（静止画、動画）、図形、文字、記号のような視認可能なイメージ（以下、単に「画像」とする）を表示するための画像表示部が設けられている。通常、この画像表示部に表示される画像は、携帯電子機器のユーザが保護カバーの外観に対応した画像データを別途に入手して自分で変更しないかぎり、外観デザイン上からは保護カバーの画像とはかけ離れたものとなっていた。
【０００４】
そこで、従来より、携帯電子機器のように画像表示部を有する機器（以下では、「画像表示機器」とする）への保護カバーの装着に連動し、自動的に画像表示部の画像が変更される技術が公知となっている（例えば、特許文献１参照）。この技術では、保護カバーの端子電極から画像表示機器の検出端子を介して、携帯機器内に保護カバーの固有情報が入力され、この固有情報に基づき、画像表示機器内に設けられた制御部によって所定の画像が画像表示部に表示される構成となっている。
【０００５】
また、このような保護カバーは、一般に、透明で薄い板状の樹脂や硬質ガラスなどが矩形状に切断されて形成されていることに加え、画像表示部を有する一側面の所定位置に精度良く貼り付けたり、保護カバーと画像表示部との間に気泡が残らないようにしたりする必要があった。更に、この画像表示部が複数の待受画面を表示可能な画像表示機器の場合には、現在表示されている画面がどの画面なのかを確認するのに、わざわざ端の画面まで画面の移動操作を行い、操作回数から現画面位置を推定するようにしていた。
【先行技術文献】
【特許文献】
【０００６】
【特許文献１】特開２００８−４８０７１号公報
【発明の概要】
【発明が解決しようとする課題】
【０００７】
しかしながら、前述の技術では、保護カバーの端子電極、画像表示機器の検出端子はもちろんのこと、画像表示機器内の制御部には、固有情報の記憶、処理、所定画像の表示などのための専用の回路が必要となる。
【０００８】
このため、前述の保護カバーは、検出端子や専用回路のない画像表示機器には全く適用できないため、汎用性に劣り、特に、近年の携帯電子機器のようにライフサイクルが短い商品に対しては、適用が難しい。しかも、保護カバー自体に、固有情報を保存して出力するための高価な端子電極が不可欠となるため、保護カバーの部品コストが増加する。
【０００９】
更に、前述の保護カバーは、画像表示部とは全く異なる面上にあって、画像表示部に表示される画像とは独立した状態で設けられている。
【００１０】
このため、画像表示部の画像の一部または全部で構成したり、共通のテーマを設定したりするなどして関連づけがなされた画像（以下、「関連画像」とする）が、たとえ保護カバーに配置されても、画像表示部の画像と保護カバーの画像との間のデザイン的な統一感が充分ではなく、画像表示機器の外観デザインに対し、多様なバリエーションと同時に優れたデザイン性を求めるユーザーニーズへの対応が困難である。
【００１１】
また、保護カバーの貼付作業を精度良く行ったり、気泡が残らないようにしたりするには、保護カバーに貼付治具を高価な専用部品として同梱したり、追加オプションとして別売りしたりする必要があり、保護カバーの販売価格が上昇すると共に、貼付作業を簡単に行うには高価な貼付治具の購入も必要となる。更に、現画面位置の確認作業においても、わざわざ端の画面まで移動操作し現画面を推定する必要があり、画面操作性が低下する。
【００１２】
本発明は、以上の点に鑑みて創案されたものであり、簡単な構成でありながら、画像表示機器の外観デザインに、デザインの統一感と多様なバリエーションを付与可能にすると共に、各種作業を容易にする、カバーシステム、カバー、カバー貼付方法、及び画面位置確認方法を提供することを目的とする。
【課題を解決するための手段】
【００１３】
上記の目的を達成するために、本発明のカバーシステムは、所定の基本画像を表示する画像表示部を有する画像表示機器で、画像表示部を設けた一側面を、画像表示部が視認できるように被覆すると共に、基本画像に関連する第１関連画像の少なくとも一部が、画像表示部の外周縁に連続可能に配置される第１保護カバーと、基本画像の画像データ、または基本画像を画像表示部内に表示させる専用プログラムを画像表示機器に入力する基本画像情報記録媒体とを備えている。
【００１４】
そして、所定の基本画像を表示する画像表示部を有する画像表示機器で、前記画像表示部を設けた一側面を、該画像表示部が視認できるように被覆する第１保護カバーを備えることによって、汎用性が向上し、特に近年の携帯電子機器のようにライフサイクルが短い商品に対しても適用が容易になると共に、部品コストの低減も図ることができる。すなわち、このような通常の保護カバーは、固有情報の専用の検出端子や制御回路のない画像表示機器にも適用することができると共に、保護カバー自体についても、固有情報を保存して出力するための高価な端子電極などを省くことができる。
【００１５】
更に、基本画像に関連する第１関連画像の少なくとも一部が、画像表示部の外周縁に連続可能に配置される第１保護カバーを備えることによって、簡単な構成で、画像表示機器の外観デザインに対し、多様なバリエーションの付与と同時に優れたデザイン性を求めるユーザーニーズへの対応が容易になる。すなわち、保護カバー上に配置される第１関連画像が画像表示部に繋がっているような外観をもたらすことができ、第１関連画像を基本画像に密接に関連づけ、画像表示機器に対してデザイン的に統一感のある外観を付与することができる。
【００１６】
加えて、基本画像の画像データ、または基本画像を画像表示部内に表示させる専用プログラムを画像表示機器に入力する基本画像情報記録媒体を備えることによって、簡単な構成で、多様なバリエーションに対応することができる。すなわち、基本画像の画像データを読み込み、予め導入されているアプリケーションプログラムを使用して基本画像を表示したり、基本画像の画像データを一緒に含めた専用プログラムを実行して基本画像を表示したりすることで、画像表示機器の固有情報の専用の検出端子や制御回路を省くことができると共に、様々な第１関連画像に合った基本画像を画像表示部に表示させることで、基本画像と第１関連画像による多種多様な組み合わせが可能となる。
【００１７】
また、第１関連画像の少なくとも一部が、画像表示部の外周縁を介して、基本画像の少なくとも一部に連続する場合は、ユーザが最も見る機会の多い面で、第１関連画像が画像表示部内の基本画像に直接繋がった外観をもたらし、第１関連画像を基本画像に更に密接に関連づけることができる。これにより、画像表示機器に対してデザイン的に更に統一感のある外観を付与することができる。
【００１８】
また、画像表示機器の他側面を被覆すると共に、基本画像と第１関連画像の少なくとも一方に関連する第２関連画像が配置される第２保護カバーを備える場合は、画像表示機器の両側面に関連画像を配置することができ、基本画像とこの二つの関連画像による多種多様な組み合わせが可能となる。これにより、画像表示機器の外観デザインに対して多様なバリエーションを付与することができる。
【００１９】
また、画像表示機器の他側面を被覆すると共に、他側面を保持する保持枠が固定された保持カバー部と、保持カバー部から前記一側面を被覆するように屈曲可能に延出される画面カバー部と、基本画像と第１関連画像の少なくとも一方に関連すると共に、保持カバー部と画面カバー部の少なくとも一方の外側面に配置される第２関連画像とを有する第２保護カバーを備える場合は、画像表示機器の不使用時には画面カバー部を一側面側に屈曲させて画像表示部を覆うことができ、画像表示部を第１保護カバーと画面カバー部とによって二重に保護することができる。これにより、画像表示機器の外観デザインにデザインの統一感と多様なバリエーションを付与しつつ、画像表示部の保護性も高めることができる。
【００２０】
また、第２関連画像が、基本画像と第１関連画像とが合体した合成画像を少なくとも一部に有する場合は、基本画像、第１関連画像、第２関連画像を全て相互に密接に関連づけることができる。これにより、画像表示機器に対してデザイン的に更に一層統一感のある外観を付与することができる。
【００２１】
また、基本画像情報記録媒体が、画像データまたは専用プログラムが記録された第１記録媒体と、画像データまたは専用プログラムのダウンロードに関するダウンロード情報が記録された第２記録媒体の少なくとも一方である場合は、第１記録媒体では、画像表示機器のリーダ部に挿入し、画像データを読み込んだり、画像データを含む専用プログラムを実行したりするだけで、基本画像が読み込まれて関連画像に合った基本画像が画像表示部に表示される。第２記録媒体では、バーコードやＱＲコード（登録商標）などの読み取りコードを画像表示機器に読み込んだり、所定のアドレスを手入力したりして、インターネット上のダウンロードサイトにアクセスし、画像データのみ、あるいは専用プログラムを画像表示機器内にダウンロードしてから、画像データを読み込んだり専用プログラムを実行するだけで、同様に、基本画像が読み込まれて関連画像に合った基本画像が画像表示部に表示される。これにより、簡単な操作で、画像データを読み込んだり、専用プログラムを実行したりして、関連画像に合った基本画像を画像表示機器の画像表示部に確実に表示させることができ、複雑な通信装置などが不要となって、カバーシステムのコンパクト化や低コスト化を図ることができる。
【００２２】
上記の目的を達成するために、本発明のカバーシステムは、所定の基本画像を表示する画像表示部を有する画像表示機器で、画像表示部を設けた一側面を、画像表示部が視認できるように被覆すると共に、基本画像に関連する第１関連画像の少なくとも一部が、画像表示部の外周縁に連続可能に配置される第１保護カバーと、基本画像の画像データ、または基本画像を画像表示部内に表示させる専用プログラムを画像表示機器に入力する入力機能とを備えている。
【００２３】
そして、所定の基本画像を表示する画像表示部を有する画像表示機器で、前記画像表示部を設けた一側面を、該画像表示部が視認できるように被覆する第１保護カバーを備えることによって、汎用性が向上し、特に近年の携帯電子機器のようにライフサイクルが短い商品に対しても適用が容易になると共に、部品コストの低減も図ることができる。すなわち、このような通常の保護カバーは、固有情報の専用の検出端子や制御回路のない画像表示機器にも適用することができると共に、保護カバー自体についても、固有情報を保存して出力するための高価な端子電極などを省くことができる。
【００２４】
更に、基本画像に関連する第１関連画像の少なくとも一部が、画像表示部の外周縁に連続可能に配置される第１保護カバーを備えることによって、簡単な構成で、画像表示機器の外観デザインに対し、多様なバリエーションの付与と同時に優れたデザイン性を求めるユーザーニーズへの対応が容易になる。すなわち、保護カバー上に配置される第１関連画像が画像表示部に繋がっているような外観をもたらすことができ、第１関連画像を基本画像に密接に関連づけ、画像表示機器に対してデザイン的に統一感のある外観を付与することができる。
【００２５】
加えて、基本画像の画像データ、または基本画像を画像表示部内に表示させる専用プログラムを画像表示機器に入力する入力機能を備えることによって、簡単な構成で、多様なバリエーションに対応することができる。すなわち、基本画像の画像データを読み込み、予め導入されているアプリケーションプログラムを使用して基本画像を表示したり、基本画像の画像データを一緒に含めた専用プログラムを実行して基本画像を表示したりすることで、画像表示機器の固有情報の専用の検出端子や制御回路を省くことができると共に、様々な関連画像に合った基本画像を画像表示部に表示させることで、基本画像と関連画像による多種多様な組み合わせが可能となる。
【００２６】
上記の目的を達成するために、本発明のカバー貼付方法は、画像表示部を有する画像表示機器で、画像表示部に基本画像を表示させる基本画像表示工程と、画像表示部を設けた一側面に、基本画像に関連する第１関連画像を有する第１保護カバーを、第１関連画像が基本画像に近接するように接触させる仮置き工程と、基本画像に第１関連画像が連続するように、第１保護カバーを画像表示機器の一側面に貼り付ける貼付被覆工程とを備えている。
【００２７】
そして、画像表示部を有する画像表示機器で、画像表示部に基本画像を表示させる基本画像表示工程を備えることによって、基本画像の目印としての機能が向上する。すなわち、位置合わせの目印に適した形状、大きさの基本画像をユーザが自在に選択して表示させることができる。
【００２８】
更に、画像表示部を設けた一側面に、基本画像に関連する第１関連画像を有する第１保護カバーを、第１関連画像が基本画像に近接するように接触させる仮置き工程を備えることによって、基本画像を基準にした位置合わせを高い精度で迅速に行うことができる。すなわち、予め第１保護カバーを所定の貼付位置近くまで移動させておき、次工程の貼付被覆工程を円滑に行うことができる。
【００２９】
加えて、基本画像に第１関連画像が連続するように、第１保護カバーを画像表示機器の一側面に貼り付ける貼付被覆工程を備えることによって、貼付治具を高価な専用部品として、カバーシステムに同梱したり、追加オプションとして別売りしたりする必要がなくなり、カバーシステムの販売価格が低下すると共に、貼付作業を簡単に行うのに高価な貼付治具の購入も不要となる。すなわち、第１保護カバーが薄い板状の硬質ガラスなどから成る時でも、基本画像に第１関連画像を合わせるだけの簡単な動作で、第１保護カバーを画像表示機器の一側面に精度良く貼り付けることができ、この第１保護カバーを画像表示機器の一側面の所定位置に精度良く貼り付けるための貼付治具が不要となる。
【００３０】
上記の目的を達成するために、本発明の画面位置確認方法は、複数の画面毎に異なる所定の基本画像を表示可能な画像表示部を有する画像表示機器で、画像表示部を設けた一側面を、基本画像に関連する第１関連画像を有する第１保護カバーで覆うカバー被覆工程と、画像表示部に表示されている現画面に、所定の基本画像を表示させる基本画像表示工程と、基本画像と、基本画像に連続する第１関連画像とによって示される現画面情報を確認する現画面位置確認工程とを備えている。
【００３１】
そして、複数の画面毎に異なる所定の基本画像を表示可能な画像表示部を有する画像表示機器で、画像表示部を設けた一側面を、基本画像に関連する第１関連画像を有する第１保護カバーで覆うカバー被覆工程を備えることによって、選択される現画面情報の表示が可能となる。すなわち、第１関連画像に、次工程で表示される基本画像によって指示される現画面情報、例えば画面番号を配置しておくことができる。
【００３２】
更に、画像表示部に表示されている現画面に、所定の基本画像を表示させる基本画像表示工程を備えることによって、現画面が特定される。すなわち、画像表示部に表示される基本画像によって、例えば第１関連画像内に記載された現画面の画面番号を指示するなどして、現画面の画面情報を得ることができる。
【００３３】
加えて、基本画像と、基本画像に連続する第１関連画像とによって示される現画面情報を確認する現画面位置確認工程を備えることによって、画面操作性の向上を図ることができる。すなわち、画像表示部を操作して画面を切り替え中であっても、基本画像を利用して現画面がどの画面かを即座に把握することができ、現画面を確認するのに、例えば、わざわざ端の画面まで移動操作し現画面を推定する必要がなくなる。
【００３４】
上記の目的を達成するために、本発明のカバーは、所定の基本画像の画像データ、または基本画像を表示させる専用プログラムを画像表示機器に入力することにより、基本画像を表示する画像表示部と、画像表示部を設けた一側面を画像表示部が視認できるように被覆すると共に、基本画像に関連する第１関連画像の少なくとも一部が、画像表示部の外周縁に連続可能に配置される第１保護カバーとを備える画像表示機器に対し、画像表示機器の他側面を被覆すると共に、基本画像と第１関連画像の少なくとも一方に関連する第２関連画像が配置される第２保護カバーから成っている。
【００３５】
そして、画像表示機器が、所定の基本画像の画像データ、または基本画像を表示させる専用プログラムを画像表示機器に入力することにより基本画像を表示する画像表示部を備えることによって、簡単な構成で、多様なバリエーションに対応することができる。すなわち、基本画像の画像データを読み込み、予め導入されているアプリケーションプログラムを使用して基本画像を表示したり、基本画像の画像データを一緒に含めた専用プログラムを実行して基本画像を表示したりすることで、画像表示機器の固有情報の専用の検出端子や制御回路を省くことができると共に、様々な関連画像に合った基本画像を画像表示部に表示させることで、基本画像と関連画像による多種多様な組み合わせが可能となる。
【００３６】
更に、画像表示機器が、画像表示部を設けた一側面を画像表示部が視認できるように被覆すると共に、基本画像に関連する第１関連画像の少なくとも一部が、画像表示部の外周縁に連続可能に配置される第１保護カバーを備えることによって、汎用性が向上し、特に近年の携帯電子機器のようにライフサイクルが短い商品に対しても適用が容易になると共に、部品コストの低減も図ることができる。すなわち、このような通常の保護カバーは、固有情報の専用の検出端子や制御回路のない画像表示機器にも適用することができると共に、保護カバー自体についても、固有情報を保存して出力するための高価な端子電極などを省くことができる。
【００３７】
しかも、簡単な構成で、画像表示機器の外観デザインに対し、多様なバリエーションの付与と同時に優れたデザイン性を求めるユーザーニーズへの対応が容易になる。すなわち、保護カバー上に配置される第１関連画像が画像表示部に繋がっているような外観をもたらすことができ、第１関連画像を基本画像に密接に関連づけ、画像表示機器に対してデザイン的に統一感のある外観を付与することができる。
【００３８】
加えて、カバーが、画像表示機器の他側面を被覆すると共に、基本画像と第１関連画像の少なくとも一方に関連する第２関連画像が配置される第２保護カバーであることによって、画像表示機器の外観デザインに対して多様なバリエーションを付与することができる。すなわち、画像表示機器の両側面に関連画像を配置することができ、基本画像とこの二つの関連画像による多種多様な組み合わせが可能となる。
【００３９】
上記の目的を達成するために、本発明のカバーは、所定の基本画像の画像データ、または基本画像を表示させる専用プログラムを画像表示機器に入力することにより、基本画像を表示する画像表示部と、画像表示部を設けた一側面を画像表示部が視認できるように被覆すると共に、基本画像に関連する第１関連画像の少なくとも一部が、画像表示部の外周縁に連続可能に配置される第１保護カバーとを備える画像表示機器に対し、画像表示機器の他側面を被覆すると共に、他側面を保持する保持枠が固定された保持カバー部と、保持カバー部から一側面を被覆するように屈曲可能に延出される画面カバー部と、基本画像と第１関連画像の少なくとも一方に関連すると共に、保持カバー部と画面カバー部の少なくとも一方の外側面に配置される第２関連画像とを有する第２保護カバーから成っている。
【００４０】
そして、画像表示機器が、所定の基本画像の画像データ、または基本画像を表示させる専用プログラムを画像表示機器に入力することにより基本画像を表示する画像表示部を備えることによって、簡単な構成で、多様なバリエーションに対応することができる。すなわち、基本画像の画像データを読み込み、予め導入されているアプリケーションプログラムを使用して基本画像を表示したり、基本画像の画像データを一緒に含めた専用プログラムを実行して基本画像を表示したりすることで、画像表示機器の固有情報の専用の検出端子や制御回路を省くことができると共に、様々な関連画像に合った基本画像を画像表示部に表示させることで、基本画像と関連画像による多種多様な組み合わせが可能となる。
【００４１】
更に、画像表示機器が、画像表示部を設けた一側面を画像表示部が視認できるように被覆すると共に、基本画像に関連する第１関連画像の少なくとも一部が、画像表示部の外周縁に連続可能に配置される第１保護カバーを備えることによって、汎用性が向上し、特に近年の携帯電子機器のようにライフサイクルが短い商品に対しても適用が容易になると共に、部品コストの低減も図ることができる。すなわち、このような通常の保護カバーは、固有情報の専用の検出端子や制御回路のない画像表示機器にも適用することができると共に、保護カバー自体についても、固有情報を保存して出力するための高価な端子電極などを省くことができる。
【００４２】
しかも、簡単な構成で、画像表示機器の外観デザインに対し、多様なバリエーションの付与と同時に優れたデザイン性を求めるユーザーニーズへの対応が容易になる。すなわち、保護カバー上に配置される第１関連画像が画像表示部に繋がっているような外観をもたらすことができ、第１関連画像を基本画像に密接に関連づけ、画像表示機器に対してデザイン的に統一感のある外観を付与することができる。
【００４３】
加えて、カバーが、他側面を保持する保持枠が固定された保持カバー部と、保持カバー部から一側面を被覆するように屈曲可能に延出される画面カバー部と、基本画像と第１関連画像の少なくとも一方に関連すると共に、保持カバー部と画面カバー部の少なくとも一方の外側面に配置される第２関連画像とを有する第２保護カバーであることによって、画像表示機器の外観デザインにデザインの統一感と多様なバリエーションを付与しつつ、画像表示部の保護性も高めることができる。すなわち、画像表示機器の不使用時には画面カバー部を一側面側に屈曲させて画像表示部を覆うことができ、画像表示部を第１保護カバーと画面カバー部とによって二重に保護することができる。
【発明の効果】
【００４４】
本発明に係わるカバーシステム、カバー、カバー貼付方法、及び画面位置確認方法は、簡単な構成でありながら、画像表示機器の外観デザインに、デザインの統一感と多様なバリエーションを付与可能にすると共に、各種作業を容易にするものとなっている。
【図面の簡単な説明】
【００４５】
【図１】本発明に係わるカバーシステムの全体構成を示す斜視図である。
【図２】保護カバーセット１の外観図であって、図２（ａ）は携帯機器に保護フィルム４と保護ケース５を装着した状態の平面図、図２（ｂ）は同じく底面図である。
【図３】携帯機器の内部構成を示すブロック図である。
【図４】保護カバーセット１Ａの外観図であって、図４（ａ）は携帯機器に保護フィルム４Ａと保護ケース５Ａを装着した状態の平面図、図４（ｂ）は同じく底面図である。
【図５】保護カバーセット１Ｂの外観図であって、図５（ａ）は携帯機器に保護フィルム４と保護ケース１６を装着した状態の平面図、図５（ｂ）は同じく底面図である。
【図６】保護カバーセット１Ｃの外観図であって、図６（ａ）は携帯機器に保護フィルム３３と保護ケース５Ｂを装着した状態の平面図、図６（ｂ）は同じく底面図である。
【図７】携帯機器への保護フィルム３３の貼付作業状況を示す斜視図である。
【図８】各種保護カバーセットに保護フィルムと保護ケースを装着した状態の平面図であって、図８（ａ）は保護カバーセット１Ｄの場合の平面図、図８（ｂ）は保護カバーセット１Ｅの場合の平面図、図８（ａ）は保護カバーセット１Ｆの場合の平面図である。
【図９】携帯機器に保護カバーセット１Ｇを装着した状態の平面図である。
【図１０】各種作業の手順を示すフローチャートであって、図１０（ａ）はカバー貼付方法の手順を示すフローチャート、図１０（ｂ）は画面位置確認方法の手順を示すフローチャートである。
【発明を実施するための形態】
【００４６】
以下、カバーシステムに関する本発明の実施の形態について、図面を参照しながら説明し、本発明の理解に供する。
なお、図１の矢印Ｔで示す方向を上方、矢印Ｆで示す方向を前方、矢印Ｒで示す方向を右方とし、以下で述べる各部の位置や方向等は、これらの上方、前方、右方を基準とするものである。
【００４７】
まず、本発明を適用したカバーシステムの一例である保護カバーセット１について、その全体構成を図１乃至図３により説明する。
【００４８】
図１、図２に示すように、この保護カバーセット１は、液晶などから形成される画像表示部７を有する画像表示機器である携帯機器６において、その表面を被覆し保護するための保護カバー２と、画像表示部７内に所定の基本画像である待受画像２０の画像データなどを携帯機器６に入力する入力機能を実行可能な情報カード３とから構成される。
【００４９】
そして、このうちの保護カバー２は、携帯機器６で画像表示部７を設けた一側面である機器上面９を被覆する第１保護カバーとしての保護フィルム４と、携帯機器６の他側面である機器下面１０から、その周囲より徐々に立設する外周側面１１にかけて、携帯機器６を被覆する第２保護カバーとしての保護ケース５とから構成される。
【００５０】
保護フィルム４は、透明で薄い板状の樹脂や硬質ガラスなどが矩形状に切断されて形成される通常の保護カバーであって、固有情報を保存して出力するための高価な端子電極などは備えておらず、保護フィルム４のフィルム下面４ｃが携帯機器６の機器上面９に図示せぬ接着層などを介して貼付されるようにして、携帯機器６に装着される。
【００５１】
そして、この保護フィルム４において、携帯機器６への装着状態で画像表示部７と重なる部分は、透明のまま或いは穿孔して矩形状の孔にした窓部４ａとし、携帯機器６の画像表示部７が常に外部から視認できるようにしている。
【００５２】
一方、この窓部４ａの周囲を取り囲む矩形枠状のフレーム部４ｂ上には、一体的に形成したり、或いはその上に印刷したりするようにして、所定の第１関連画像２１が配置されている。
【００５３】
更に、フレーム部４ｂの前後端部には、携帯機器６への装着状態でスピーカ１３、操作ボタン１４が重なる部分には、それぞれ、スピーカ孔４ｂ１とボタン孔４ｂ２が穿孔されており、保護フィルム４を携帯機器６に装着したままでも、携帯電話６の通話や操作に支障がないようにしている。
【００５４】
以上のような構成により、保護フィルム４は、通常の保護カバーであって、固有情報の専用の検出端子や制御回路のない携帯機器６にも適用することができると共に、保護フィルム４自体についても、固有情報を保存して出力するための高価な端子電極などを省くことができる。
【００５５】
保護ケース５は、薄い樹脂や金属などが底壁部５ａと周壁部５ｂとから成る薄いシェル型の箱形状に形成されると共に、その上端開口５ｃが携帯機器６の機器下面１０から外周側面１１を通るようにして、携帯機器６の下部に装着される。
【００５６】
この携帯機器６への装着状態におけるケース下面５ｄ上には、一体的に形成したり、或いはその上に印刷したりするようにして、所定の第２関連画像２２が配置されている。
【００５７】
更に、保護ケース５の前後部には、携帯機器６への装着状態でカメラのレンズ１５、マイク１２が重なる部分には、それぞれ、レンズ孔５ｅとマイク孔５ｆが穿孔されており、保護ケース５を携帯機器６に装着したままでも、携帯電話６による写真、動画の撮影や通話に支障がないようにしている。
【００５８】
なお、本実施例では、保護フィルム４と保護ケース５を一緒に保護カバーセット１内に含んでいるが、保護フィルム４のみ、あるいは保護フィルム４装着済みの携帯機器６のために後付け用に設けた保護ケース５のみであってもよく、後で詳述するように、保護フィルム４の被覆状態つまり装着状態において、第１関連画像２１の少なくとも一部が画像表示部７の外周縁７ａに連続していればよい。
【００５９】
また、情報カード３においては、紙や樹脂などから成るシート３ａの一面に、ＱＲコード（登録商標）、バーコードなどの読み取りコード３ｂや情報文３ｃが記載されている。
【００６０】
これらの読み取りコード３ｂや情報文３ｃには、保護フィルム４の第１関連画像２１、保護ケース５の第２関連画像２２に対応した待受画像２０を取得するための各種情報が記載されている。例えば、第１関連画像２１、第２関連画像２２を特定するための関連画像ＩＤや、待受画像２０を取得するための専用の、インターネット上のダウンロードサイトのアドレスなどが記載されている。
【００６１】
ここで、図３に示すように、携帯機器６は、無線通信部２３、前述の画像表示部７、操作ボタン１４などのようにユーザによる押下など入力操作が行われる操作部２４、マイクロＳＤカードのように書き換え可能な後述のメモリーカード８などを挿入して内容を読み取るためのリーダ２５ａなどが形成された外部入力部２５、マイク１２とスピーカ１３を介して入出力される音声を処理する音声処理部２６、レンズ１５を介して写真や動画を撮影して処理するカメラ処理部２７、及びこれらの各種機能を制御するコントローラ２８とを有している。
【００６２】
そして、このコントローラ２８には、記憶部２８ａが内蔵されており、この記憶部２８ａには、前述の各部の諸機能を制御するのに必要なオペレーティングシステムプログラムやアプリケーションプログラムなどが保存されており、命令コードを順次読み込んで実行できるようにしている。
【００６３】
これにより、例えば、コントローラ２８の記憶部２８ａに入っているコード読み取り用のアプリケーションプログラムを起動し、情報カード３の読み取りコード３ｂにレンズ１５を向けることにより、自動的に読み取りコード３ｂが読み込まれてアドレスに変換される。
【００６４】
その後、操作部２４を操作し、無線通信部２３を介して、外部サーバなどに確保されている所定のアドレスにアクセスした上で、前述の情報文３ｃに記載された関連画像ＩＤなどの情報を入力すると、保護フィルム４の第１関連画像２１、保護ケース５の第２関連画像２２に対応した待受画像２０の画像データ２０ｃが、無線通信部２３を介して、自動的にダウンロードされる。
【００６５】
この画像データ２０ｃが前述の記憶部２８ａに保存されると、操作部２４を操作して待受画像表示用のアプリケーションプログラムを起動し、この記憶部２８ａから画像データ２０ｃを読み込むことにより、前述の画像表示部７に待受画像２０を表示させることができる。
【００６６】
また、情報カード３に代えてメモリーカード８を設けてもよい。
このメモリーカード８内にも、保護フィルム４の第１関連画像２１、保護ケース５の第２関連画像２２に対応した待受画像２０を取得するための各種情報が記憶されている。
【００６７】
そこで、例えば、メモリーカード８を外部入力部２５のリーダ２５ａに挿入し、操作部２４を操作して待受画像表示用のアプリケーションプログラムを起動し、このメモリーカード８から待受画像２０を読み込むことにより、前述の画像表示部７に待受画像２０を表示させることができる。
【００６８】
また、これらの情報カード３やメモリーカード８によって携帯機器６に入力されるものを、画像データ２０ｃではなく、待受画像２０を画像表示部７内に自動的に表示させるための専用プログラムとすることもできる。
【００６９】
この専用プログラムが、情報カード３に基づいてダウンロードされたり、メモリーカード８内から読み取られたりして、前述の記憶部２８ａに保存された後、操作部２４を操作してこの専用プログラムを実行することにより、この専用プログラムに含まれている待受画像２０を自動的に画像表示部７に表示させることができる。
【００７０】
以上のように、待受画像２０の画像データ２０ｃ、または待受画像２０を画像表示部７内に表示させる専用プログラムを携帯機器６に入力するための、メモリーカード８や情報カード３などの基本画像情報記録媒体を備えることによって、画像データ２０ｃを読み込み、予め導入されているアプリケーションプログラムを使用して待受画像２０を表示したり、画像データ２０ｃを一緒に含めた専用プログラムを実行して待受画像２０を表示したりすることで、携帯機器６の固有情報の専用の検出端子や制御回路を省くことができると共に、様々な関連画像２１、２２に合った待受画像２０を画像表示部７に表示させることができ、待受画像２０と関連画像２１、２２による多種多様な組み合わせが可能となる。
【００７１】
詳しくは、基本画像情報記録媒体が、画像データまたは専用プログラムが記録された第１記録媒体であるメモリーカード８と、画像データまたは専用プログラムのダウンロードに関するダウンロード情報が記録された第２記録媒体である情報カード３の少なくとも一方である場合は、メモリーカード８では、携帯機器６のリーダ２５ａに挿入し、画像データ２０ｃを読み込んだり専用プログラムを実行したりするだけで、待受画像２０が読み込まれて関連画像２１、２２に合った待受画像２０が画像表示部７に表示される。
【００７２】
更に、情報カード３では、バーコードやＱＲコード（登録商標）などの読み取りコード３ｂを携帯機器６に読み込んだり、所定のアドレスを手入力したりして、インターネット上のダウンロードサイトにアクセスし、画像データ２０ｃのみ、あるいは画像データ２０ｃを含む専用プログラムを携帯機器６内にダウンロードしてから、画像データ２０ｃを読み込んだり専用プログラムを実行するだけで、同様にして、待受画像２０が読み込まれて関連画像２１、２２に合った待受画像２０が画像表示部７に表示される。
【００７３】
これにより、簡単な操作で、画像データ２０ｃを読み込んだり、専用プログラムを実行したりして、関連画像２１、２２に合った待受画像２０を携帯機器６の画像表示部７に確実に表示させることができ、複雑な通信装置などが不要となって、カバーシステムである保護カバーセット１のコンパクト化や低コスト化を図ることができる。
【００７４】
なお、本実施例では、待受画像２０の画像データ２０ｃ、または待受画像２０を画像表示部７内に表示させる専用プログラムを携帯機器６に入力するものとして基本画像情報記録媒体を挙げたが、携帯機器６への入力機能を発揮できるものであれば、他のものであってもよい。例えば、携帯機器６の外部入力部２５に画像データ２０ｃを入力するのに必要な接続ケーブル、この接続ケーブルを接続して画像データ２０ｃを引き出す情報端末の設置場所や情報端末に入力する関連画像ＩＤの情報を記載した情報カードのようなものでもよい。
【００７５】
次に、前述した待受画像２０、第１関連画像２１、第２関連画像２２の詳細構成について、図１、図２により説明する。
【００７６】
第１関連画像２１は、前述の保護フィルム４のフレーム部４ｂの前右隅部上に印刷されている。そして、この第１関連画像２１の後端部２１ａと右端部２１ｂは、それぞれ、画像表示部７の前縁部７ａ１と右縁部７ａ２に外側から接して連続しているように表示されている。なお、本実施例では、第１関連画像２１が単一のキャラクタを表示する画像となっているが、後述の第１関連画像２１Ａのように、複数の画像から構成されていてもよく、その数や種類は特に限定されるものではない。
【００７７】
これにより、被覆状態で画像表示部７の外周縁７ａに少なくとも一部が連続可能に、第１関連画像２１が配置される保護フィルム４を備えることによって、保護フィルム４上に配置される第１関連画像２１が画像表示部７に繋がっているような外観をもたらすことができ、第１関連画像２１を待受画像２０に密接に関連づけ、携帯機器６に対してデザイン的に統一感のある外観を付与することができる。
【００７８】
一方、待受画像２０は、前述の待受画像表示用のアプリケーションプログラムによって、画像表示部７の右上の角部に表示される。そして、この待受画像２０の前端部２０ａと右端部２０ｂは、それぞれ、画像表示部７の前縁部７ａ１と右縁部７ａ２に内側から接して表示される。なお、本実施例では、画像表示部７の前半部の略中央部に、待受画像として時刻文字列２９を常時表示し、ユーザの利便性向上を図るようにしているが、この時刻文字列２９を非表示にしたり、日付文字列や他の画像に変更したりしてもよく、同時表示する待受画像は特に限定されるものではない。
【００７９】
以上のような構成により、第１関連画像２１の少なくとも一部を、画像表示部７の外周縁７ａを介して待受画像２０の少なくとも一部に連続させることができ、ユーザが最も見る機会の多い面で、第１関連画像２１が画像表示部７内の待受画像２０に直接繋がった外観をもたらし、第１関連画像２１を待受画像２０に更に密接に関連づけることができる。これにより、携帯機器６に対してデザイン的に更に統一感のある外観を付与することができる。
【００８０】
更に、第２関連画像２２は、前述の保護ケース５のケース下面５ｄの後半部上に印刷されている。これにより、携帯機器６の機器上面９と機器下面１０の両側面に、関連画像２１、２２を配置することができ、待受画像２０とこの二つの関連画像２１、２２による多種多様な組み合わせが可能となり、携帯機器６の外観デザインに対して多様なバリエーションを付与することができる。
【００８１】
しかも、この第２関連画像２２は、待受画像２０と第１関連画像２１とが合体した合成画像を拡大または縮小したものとなっている。これにより、待受画像２０、第１関連画像２１、第２関連画像２２を全て相互に密接に関連づけることができ、携帯機器６に対してデザイン的に更に一層統一感のある外観を付与することができる。なお、本実施例では、待受画像２０と第１関連画像２１とが合体して第２関連画像２２全体が構成されるようにしているが、第２関連画像２２が合成画像の一部より構成されてもよい。
【００８２】
次に、以上で述べた保護カバーセット１の各種の別形態について、図１、図２、図４乃至図１０により説明する。
【００８３】
図４に示す保護カバーセット１Ａは、待受画像２０Ａ、第１関連画像２１Ａ、及び第２関連画像２２Ａを、いずれも複数の画像から構成すると共に、第１関連画像２１Ａを待受画像２０Ａとは連続させないようにして、携帯機器６の外観デザインに華やかさや広がりを付与したものである。
【００８４】
このうちの待受画像２０Ａは、別々の複数の画像３０ａ〜３０ｈから構成され、画像表示部７の平面視略中央に表示される。そして、いずれの画像３０ａ〜３０ｈも、画像表示部７の外周縁７ａから離間して表示されている。
【００８５】
第１関連画像２１Ａは、待受画像２０Ａの画像３０ａ〜３０ｈと略同じ形状であって、別々の複数の画像３１ａ〜３１ｍから構成され、このうちの画像３１ａ〜３１ｈは保護フィルム４Ａのフレーム部４Ａｂの前部に印刷され、残りの画像３１ｉ〜３１ｍはフレーム部４Ａｂの後部に印刷されている。
【００８６】
そして、このうちの画像３１ｂ、３１ｄ、３１ｆ、３１ｈは、画像表示部７の前縁部７ａ１に外側から接し、画像３１ｉ、３１ｌは、画像表示部７の後縁部７ａ３に外側から接しており、いずれも画像表示部７の外周縁７ａに連続しているように表示されている。ただし、第１関連画像２１Ａの画像３１ａ〜３１ｍのいずれも、待受画像２０Ａの画像３０ａ〜３０ｈとは離間して配置されており、待受画像２０Ａには連続しないように表示されている。
【００８７】
第２関連画像２２Ａも、待受画像２０Ａの画像３０ａ〜３０ｈと略同じ形状であって、別々の複数の画像３２ａ〜３２ｎから構成され、保護ケース５Ａのケース下面５Ａｄの前後略中央部上に印刷されている。
【００８８】
このような構成により、携帯機器６の機器上面９と機器下面１０の両側面に、関連画像２１Ａ、２２Ａを配置することができ、待受画像２０Ａとこの二つの関連画像２１Ａ、２２Ａによる多種多様な組み合わせが可能になることに加え、多数の画像を、互いに繋げることなく、ばらばらに分散した状態で配置させることで、携帯機器６の外観デザインに華やかさや広がりを持たせることができる。
【００８９】
また、図５に示す別形態の保護カバーセット１Ｂは、前述の保護カバーセット１のシェル型の保護ケース５に替えて、折り畳み可能な手帳型の保護ケース１６を用いることにより、画像表示部７の保護性を高めたものである。
【００９０】
この保護ケース１６は、合成皮革、人造皮革、本革などから成る矩形状に形成されると共に、その左右略中央の縦方向の折り目１６ｃを中心にして左右に開閉できるようにしている。
【００９１】
そして、折り目１６ｃの右側には、シェル型の保持枠１７が固定された保持カバー部１６ａが形成され、この保持枠１７に携帯機器６の機器下面１０が嵌合されて保持されるようにしている。一方、折り目１６ｃの左側には、この保持カバー部１６ａから携帯機器６の機器上面９を被覆するように屈曲可能に延出される画面カバー部１６ｂが形成されている。
【００９２】
更に、この保護カバーセット１Ｂでは、待受画像２０と第１関連画像２１に関連する第２関連画像２２が、保護ケース１６の外側面であるケース下面１６ｄにおける画面カバー部１６ｂ側に印刷されているが、保持カバー部１６ａ側、あるいは保持カバー部１６ａと画面カバー部１６ｂとを跨るようにして配置してもよい。
【００９３】
これにより、保護ケース１６の保持枠１７に携帯機器６を保持固定させた上で、携帯機器６の不使用時には、画面カバー部１６ｂを携帯機器６の機器上面９側に向けて矢印１８に示すように屈曲させることにより、画像表示部７を覆うことができ、画像表示部７を保護フィルム４と画面カバー部１６ｂとによって二重に保護し、携帯機器６の外観デザインにデザインの統一感と多様なバリエーションを付与しつつ、画像表示部７の保護性も高めることができる。
【００９４】
なお、以上で述べた待受画像２０、２０Ａを表示する画像表示部７と、待受画像２０、２０Ａに関連する第１関連画像２１、２１Ａの少なくとも一部が、画像表示部７の外周縁７ａに連続可能に配置される保護フィルム４、４Ａとを備えた携帯機器６に対しては、図１、図２、図４、図５に示すような第２関連画像２２、２２Ａが配置されるシェル型の保護ケース５、５Ａや、手帳型の保護ケース１６の使用が好ましい。
【００９５】
これにより、前述したように、これらの通常の保護ケース５、５Ａ、１６は、固有情報の専用の検出端子や制御回路のない携帯機器６にも適用することができると共に、保護ケース５、５Ａ、１６自体についても、固有情報を保存して出力するための高価な端子電極などを省くことができる。
【００９６】
更に、この場合も、保護フィルム４、４Ａ上に配置される第１関連画像２１、２１Ａが画像表示部７に繋がっているような外観をもたらすことができ、第１関連画像２１、２１Ａを待受画像２０、２０Ａに密接に関連づけ、携帯機器６に対してデザイン的に統一感のある外観が付与されている。
【００９７】
加えて、様々な関連画像に合った待受画像を画像表示部７に表示させることで、待受画像２０、２０Ａと第１関連画像２１、２１Ａ、第２関連画像２２、２２Ａによる多種多様な組み合わせが可能となる。
【００９８】
特に、手帳型の保護ケース１６では、前述のごとく、携帯機器６の不使用時には、画面カバー部１６ｂを携帯機器６の機器上面９側に屈曲させて画像表示部７を覆うことができ、画像表示部７を保護フィルム４と画面カバー部１６ｂとによって二重に保護することができる。
【００９９】
また、図６乃至図８示す別形態の保護カバーセット１Ｃ、１Ｄ、１Ｅ、１Ｆは、前述の保護カバーセット１に、携帯機器６の機器上面９に保護フィルム３３〜３６を貼付する際の所定の貼付位置を示す目印機能を付与することにより、保護フィルム３３〜３６の貼付位置精度を高めたものである。
【０１００】
ここで、前述したように、保護フィルムは、透明で薄い板状の樹脂や硬質ガラスなどが矩形状に切断されて形成されていることに加え、保護フィルムを機器上面９の所定位置に精度良く貼り付けたり、保護フィルムと画像表示部７との間に気泡が残らないようにしたりする必要から、機器上面９への保護フィルムの貼付作業は、極めて難しいものとなっている。
【０１０１】
これに対し、図６に示す保護カバーセット１Ｃの場合、保護フィルム３３が携帯機器６の機器上面９の所定位置に被覆された状態では、第１関連画像４１を構成する直線部４１ａと直線部４１ｂが、画像表示部７の外周縁７ａを介して、それぞれ、待受画像４０を構成する直線部４０ａと直線部４０ｂに連続するように、待受画像４０と第１関連画像４１は位置調整されている。
【０１０２】
このような構成において、保護フィルム３３の貼付作業を行う際には、図７、図１０（ａ）に示すように、まず、前述したように、待受画像４０の画像データを読み込み、予め導入されているアプリケーションプログラムを使用したり、専用プログラムを実行したりして、携帯機器６の画像表示部７に待受画像４０を表示させる（ステップＳ１：基本画像表示工程）。これにより、画像表示部７には、位置合わせの目印に適した形状、大きさの待受画像４０をユーザが自在に選択して表示させることができ、待受画像４０の目印としての機能が向上する。
【０１０３】
続いて、画像表示部７を設けた機器上面９に、待受画像４０に関連する第１関連画像４１を有する保護フィルム３３を、第１関連画像４１が待受画像４０に近接するように接触させる（ステップＳ２：仮置き工程）。これにより、予め保護フィルム３３を所定の貼付位置近くまで移動させておき、次工程の貼付被覆工程を円滑に行うことができ、待受画像４０を基準にした位置合わせを高い精度で迅速に行うことができる。
【０１０４】
その後、待受画像４０に第１関連画像４１が連続するように、保護フィルム３３を携帯機器６の機器上面９に貼り付ける（ステップＳ３：貼付被覆工程）。詳しくは、前述したように、第１関連画像４１の直線部４１ａと直線部４１ｂが、画像表示部７の外周縁７ａを介して、それぞれ、待受画像４０の直線部４０ａと直線部４０ｂに連続するように、保護フィルム３３の位置を微調整しながら、機器上面９に貼り付けていく。これにより、保護フィルム３３が薄い板状の硬質ガラスなどから成る時でも、待受画像４０に第１関連画像４１を合わせるだけの簡単な動作で、保護フィルム３３を携帯機器６の機器上面９に精度良く貼り付けることができる。
【０１０５】
この際、保護カバーセット１Ｃでは、保護フィルム３３が携帯機器６の機器上面９の所定位置に被覆された状態で、画像表示部７の外周縁７ａを介して連続する直線部４０ａ、４０ｂ、４１ａ、４１ｂを、待受画像４０とその第１関連画像４１に設けるので、この保護フィルム３３を携帯機器６の機器上面９の所定位置に精度良く貼り付けることができ、特別な貼付治具が不要となる。
【０１０６】
なお、以上のようなカバー貼付方法を行う保護カバーセット１Ｃを構成する保護ケース５Ｂに印刷された第２関連画像４２も、保護カバーセット１と同様、待受画像４０と第１関連画像４１とが合体した合成画像となっており、携帯機器６に対してデザイン的に非常に統一感のある外観を付与できるようにしている。
【０１０７】
図８（ａ）に示す保護カバーセット１Ｄは、前述の保護カバーセット１Ｃにおける待受画像４３と第１関連画像４４の各直線部の間隔幅に差を設けることにより、本発明に係わるカバー貼付方法による貼付作業の作業性を向上させたものである。
【０１０８】
この保護カバーセット１Ｄの場合、保護フィルム３４が携帯機器６の機器上面９の所定位置に被覆された状態では、待受画像４３を構成する直線部４３ａと直線部４３ｂの前端間の前端域４３ｃ内において、第１関連画像４４を構成する直線部４４ａと直線部４４ｂの後端間の後端域４４ｃが連続するように、待受画像４３と第１関連画像４４は位置調整されている。
【０１０９】
このような構成における保護フィルム３４の貼付作業も、前述したカバー貼付方法で行う。その際、貼付被覆工程Ｓ３においては、待受画像４３の前端域４３ｃを目印に、この前端域４３ｃ内に、画像表示部７の外周縁７ａを介して、第１関連画像４４の後端域４４ｃが連続させるように、保護フィルム３４の位置を微調整しながら、機器上面９に貼り付けていく。
【０１１０】
この際、保護カバーセット１Ｄでは、保護フィルム３４が携帯機器６の機器上面９の所定位置に被覆された状態で、画像表示部７の外周縁７ａを介して連続すると共に、幅に差がある間隔域である前端域４３ｃ、後端域４４ｃを待受画像４３とその第１関連画像４４に設けるので、それほど高い貼付位置精度が要求されない場合は、一方の間隔域が他方の間隔域内に入るようにして連続させるだけでよく、直線部を連続させるよりも位置合わせが容易となり、貼付作業の作業性を向上させることができる。
【０１１１】
図８（ｂ）に示す保護カバーセット１Ｅは、目印の箇所を増やすことにより、本発明に係わるカバー貼付方法による保護フィルム３５の貼付位置精度を更に高めたものである。
【０１１２】
この保護カバーセット１Ｅの場合、待受画像４５は、画像表示部７の前端の左右角部の２箇所に配置された画像４５ａ、画像４５ｂより構成されると共に、第１関連画像４６は、保護フィルム３５のフレーム部３５ｂの前部の左右隅部の２箇所に配置された画像４６ａ、画像４６ｂより構成されている。
【０１１３】
そして、保護フィルム３５が携帯機器６の機器上面９の所定位置に被覆された状態では、第１関連画像４６の画像４６ａ、画像４６ｂは、画像表示部７の外周縁７ａを介して、それぞれ、待受画像４５の画像４５ａ、画像４５ｂに連続するように、待受画像４５と第１関連画像４６は位置調整されている。
【０１１４】
このような構成における保護フィルム３５の貼付作業も、前述したカバー貼付方法で行う。その際、貼付被覆工程Ｓ３においては、待受画像４５の画像４５ａ、画像４５ｂを目印に、この画像４５ａ、画像４５ｂのそれぞれに、画像表示部７の外周縁７ａを介して、第１関連画像４６の画像４６ａ、画像４６ｂを連続させるように、保護フィルム３４の位置を微調整しながら、機器上面９に貼り付けていく。
【０１１５】
この際、保護カバーセット１Ｅでは、保護フィルム３５が携帯機器６の機器上面９の所定位置に被覆された状態で、複数箇所に、画像表示部７の外周縁７ａを介して連続する画像４５ａ、４５ｂ、４６ａ、４６ｂを、待受画像４５とその第１関連画像４６に設けるので、複数箇所を目印にして位置合わせを行うことができ、貼付位置精度を更に高めることができる。
【０１１６】
図８（ｃ）に示す保護カバーセット１Ｆは、第１関連画像４９を、移動幅が視認しやすい形状に変更することにより、本発明に係わるカバー貼付方法による貼付作業の作業性を向上させたものである。
【０１１７】
この保護カバーセット１Ｆの場合、待受画像４０は保護カバーセット１Ｃと同じであるが、それに連続する第１関連画像４９は物差し状に形成されており、保護フィルム３６が携帯機器６の機器上面９の所定位置に被覆された状態では、待受画像４０を構成する直線部４０ａと直線部４０ｂは、画像表示部７の外周縁７ａを介して、第１関連画像４９の目盛り４９ａと目盛り４９ｂに連続するように、待受画像４０と第１関連画像４９は位置調整されている。
【０１１８】
このような構成における保護フィルム３６の貼付作業も、前述したカバー貼付方法で行う。その際、貼付被覆工程Ｓ３においては、待受画像４０の直線部４０ａと直線部４０ｂを目印に、この直線部４０ａと直線部４０ｂのそれぞれに、画像表示部７の外周縁７ａを介して、第１関連画像４９の目盛り４９ａと目盛り４９ｂを連続させるように、保護フィルム３６の位置を微調整しながら、機器上面９に貼り付けていく。
【０１１９】
この際、保護カバーセット１Ｆでは、保護フィルム３６が携帯機器６の機器上面９の所定位置に被覆された状態で、画像表示部７の外周縁７ａを介して連続する直線部４０ａ、４０ｂ、目盛り４９ａ、４９ｂを、待受画像４０とその第１関連画像４９に設けるので、この目盛り４９ａ、４９ｂによって所定位置とのずれを確認しながら位置合わせを行うことができ、貼付作業の作業性を向上させることができる。
【０１２０】
また、図９に示す別形態の保護カバーセット１Ｇは、前述の保護カバーセット１に、複数のホーム画面である待受画面を表示可能な画像表示部７において、現画面を特定可能な画面位置表示機能を付与することにより、画面操作性の向上を図ったものである。
【０１２１】
携帯機器６が、待受画面３８を仮想的に複数有しており、各待受画面毎に異なる待受画像５０を画像表示部７に表示可能な機能を有する場合、現在、画像表示部７に表示されている待受画面が何番目の画面なのか確認するには、例えば、前述の如く、わざわざ端の待受画面３８ａまたは３８ｄまで画面の移動操作を行い、操作回数から現画面位置を推定する必要があった。
【０１２２】
これに対し、保護カバーセット１Ｇの場合、１番から４番までの待受画面３８ａ、３８ｂ、３８ｃ、３８ｄには、それぞれ、形状が同一で表示位置の異なる画像５０ａ、５０ｂ、５０ｃ、５０ｄが表示されている。一方、保護フィルム３７のフレーム部３７ｂの前端部には、左から順に配置された画像５１ａ、５１ｂ、５１ｃ、５１ｄから成る第１関連画像５１が印刷されると共に、各画像５１ａ、５１ｂ、５１ｃ、５１ｄには、待受画面の画面番号が一緒に印刷されている。
【０１２３】
そして、保護フィルム３７が携帯機器６の機器上面９の所定位置に被覆された状態では、第１関連画像５１の画像５１ａ、５１ｂ、５１ｃ、５１ｄの中で現待受画面の画面番号に相当するものに、画像表示部７の外周縁７ａを介して、待受画像５０の画像５０ａ、５０ｂ、５０ｃ、５０ｄの中で対応するものが連続するように、待受画像５０と第１関連画像５１は位置調整されている。
【０１２４】
このような構成において、現待受画面の位置の確認作業を行う際には、図９、図１０（ｂ）に示すように、まず、前述したカバー貼付方法などによって、画像表示部７を設けた機器上面９を、待受画像５０に関連する第１関連画像５１を有する保護フィルム３７で覆う（ステップＳ４：カバー被覆工程）。これにより、第１関連画像５１に、次工程で表示される所定の待受画像５０によって指示される現画面情報、例えば画面番号を配置しておくことができ、選択される現画面情報の表示が可能となる。
【０１２５】
続いて、画像表示部７に表示されている現待受画面３８に、所定の待受画像５０を表示させる（ステップＳ５：基本画像表示工程）。これにより、画像表示部７に表示される待受画像５０によって、例えば、第１関連画像５１内に記載された現待受画面の画面番号を指示するなどして、現待受画面の画面情報を得ることができ、現待受画面が特定される。
【０１２６】
その後、待受画像５０と、待受画像５０に連続する第１関連画像５１とによって示される現画面情報を確認する（ステップＳ６：現画面位置確認工程）。詳しくは、例えば、図９に示すように、第１関連画像５１の画像５１ａ、５１ｂ、５１ｃ、５１ｄのうちで画面番号２が表示された画像５１ｂに、待受画像５０の画像５０ｂが連続していれば、画像表示部７に表示されている待受画面は、２番目の待受画面３８ｂであると特定する。これにより、画像表示部７を操作して画面を切り替え中であっても、待受画像５０を利用して現待受画面がどの待受画面かを即座に把握することができ、現待受画面を確認するのに、例えば、わざわざ端の待受画面３８ａ、３８ｄまで移動操作し現待受画面３８ｂを推定する必要がなくなり、画面操作性の向上を図ることができる。
【０１２７】
以上のように、本発明を適用したカバーシステム、カバー、カバー貼付方法、及び画面位置確認方法は、簡単な構成でありながら、画像表示機器の外観デザインに、デザインの統一感と多様なバリエーションを付与可能にすると共に、各種作業を容易にするものなっている。
【符号の説明】
【０１２８】
１、１Ａ、１Ｂ、１Ｃ、１Ｄ、１Ｅ、１Ｆ、１Ｇ  保護カバーセット（カバーシステム）
３  情報カード（第２記録媒体、基本画像情報記録媒体、入力機能）
４、４Ａ、３３、３４、３５、３６、３７  保護フィルム（保護カバー、第１保護カバー）
５、５Ａ、１６  保護ケース（保護カバー、第２保護カバー）
６  携帯機器（画像表示機器）
７  画像表示部
７ａ  外周縁
８  メモリーカード（第１記録媒体、基本画像情報記録媒体、入力機能）
９  機器上面（一側面）
１０  機器下面（他側面）
１６ａ  保持カバー部
１６ｂ  画面カバー部
１７  保持枠
２０、２０Ａ、４０、４３、４５、５０  待受画像（基本画像）
２０ｃ  画像データ
２１、２１Ａ、４１、４４、４６、４９  第１関連画像（関連画像）
２２、２２Ａ、４２  第２関連画像（関連画像）
Ｓ１  基本画像表示工程
Ｓ２  仮置き工程
Ｓ３  貼付被覆工程
Ｓ４  カバー被覆工程
Ｓ５  基本画像表示工程
Ｓ６  現画面位置確認工程
【図１】
2019149590.tif 000003
【図２】
2019149590.tif 000004
【図３】
2019149590.tif 000005
【図４】
2019149590.tif 000006
【図５】
2019149590.tif 000007
【図６】
2019149590.tif 000008
【図７】
2019149590.tif 000009
【図８】
2019149590.tif 000010
【図９】
2019149590.tif 000011
【図１０】
2019149590.tif 000012